(57)【特許請求の範囲】
【請求項１】
運転者が携帯し得るとともに車両固有のＩＤコードを発信し得る発信手段と、
該発信手段から発信されたＩＤコードを受信し得る受信手段と、
該受信手段で受信したＩＤコードが予め登録した正規のものであるか否かを判定する判定手段と、
イグニッションスイッチ本体に配設され、該判定手段により受信手段で受信したＩＤコードが正規のものと判定されたことを条件として操作がなされると、車両のエンジンの始動を許可した状態とする操作ノブと、
前記イグニッションスイッチ本体内部に配設され、メカキーを挿通可能としたキー孔を有するとともに、受信手段によるＩＤコードの受信に関わらず、前記キー孔に挿通したメカキーの回動操作により車両のエンジンの始動を許可した状態とするロータと、
を具備したイグニッションスイッチ装置において、
前記操作ノブは、前記ロータのキー孔を覆いつつ操作可能とされて配設されるとともに、回動により車両のエンジンの始動を許可した状態とし得るエンジン始動操作と、取外し位置への回動によりイグニッションスイッチ本体から取り外し可能とし得る取外し操作とが可能とされ、取り外された状態で当該キー孔を外部に臨ませてメカキーの挿通を可能とし得るものとされ、且つ、
当該操作ノブは、
運転者が摘んで操作し得るアウタ部材と、
該アウタ部材内に配設されて前記ロータと連結されるとともに、前記受信手段による正規のＩＤコードの受信がないとき回動が規制されたインナ部材と、
前記エンジン始動操作時には前記アウタ部材とインナ部材とを連結するとともに、前記取外し操作時には、当該アウタ部材とインナ部材との連結を解除してアウタ部材をインナ部材と独立して回動可能とさせる連結部材と、
を具備したことを特徴とするイグニッションスイッチ装置。
【請求項２】
前記操作ノブは、押圧により前記発信手段の認証を行うアクセス操作が可能とされたことを特徴とする請求項１記載のイグニッションスイッチ装置。
【発明の詳細な説明】
【技術分野】
【０００１】
本発明は、発信手段からのＩＤコードが予め登録された正規のものであると判別されることを条件としてエンジンの始動を許可するイグニッションスイッチ装置に関するものである。
【背景技術】
【０００２】
近年多発する車両の盗難防止を図るために、運転者が携帯しつつ車両固有のＩＤコードを発信し得る発信手段と、そのＩＤコードを受信し得る受信手段とを備え、当該受信手段にて受信したＩＤコードが正規のものであることを条件として、エンジン始動を含む車両の各種操作を可能とした所謂スマートエントリーシステムが提案されている。例えば、二輪車におけるスマートエントリーシステムの場合、発信手段（電子キー）を携帯した運転者が車両に近づくと、その発信手段から発信されたＩＤコードを受信手段が受信し、予め登録した正規のものであるか否かが判定される。
【０００３】
そして、正規のＩＤコードであると判定され、且つ、運転者が車両に配設されたアクセスボタン等を押圧操作すると、車両の電源がオンするとともに、スタートボタン等を押圧操作することによりエンジンが始動されるよう構成されている。これにより、イグニッションキーの如きメカキーを使用することなく、エンジン始動を含めた車両の種々操作を可能とすることができ、且つ、車両の盗難や車両に対する不正な操作等を確実に防止することができる。
【０００４】
ところで、発信手段は通常電池が内蔵され、その電力にてＩＤコードを発信し得るよう構成されているのであるが、かかる電池が消耗した場合、ＩＤコードが発信されず、受信手段が正規のＩＤコードを受信しないので、正規の発信手段を携帯しているにも関わらずエンジンの始動を行うことができなくなってしまう。このような不具合を回避すべく、従来、アクセスボタンの近傍にメカキーを挿通させ得るロータを併設し、該ロータのキー孔に挿通させたメカキーを回動操作することにより、受信手段によるＩＤコードの受信に関わらず、車両のエンジンの始動を許可した状態とし得るものが提案されている（例えば特許文献１参照）。
【特許文献１】特開２００５−１１２０４８号公報
【発明の開示】
【発明が解決しようとする課題】
【０００５】
しかしながら、上記従来のイグニッションスイッチ装置においては、アクセスボタンの近傍にメカキーを挿通させ得るロータを併設させているので、当該ロータのキー孔が常時外部に臨んだ状態となり、当該キー孔に対する第三者によるいたずら等を誘発してしまうという問題があった。また、正規の発信手段を携帯しない第三者が不正にメカキーのみを取得した場合、スマートエントリーシステムを具備しない車両と同一の操作にてエンジンを始動させることができるので、車両の盗難防止の観点から好ましくないという問題があった。一方、発信手段の電池が消耗した際、メカキーによらない操作にてエンジンの始動を行わせることも考えられるが、その場合、盗難防止等の観点から操作を極めて複雑にせざるを得ず、例えば操作方法を示したマニュアル等によらなければエンジン始動ができない事態が想定され、利便性を著しく低減させてしまうという問題もあった。
【０００６】
本発明は、このような事情に鑑みてなされたもので、車両の盗難防止効果を維持しつつ発信手段の電池等が消耗した場合であっても、利便性を損なわずにエンジンを始動させることができるイグニッションスイッチ装置を提供することにある。
【課題を解決するための手段】
【０００７】
請求項１記載の発明は、運転者が携帯し得るとともに車両固有のＩＤコードを発信し得る発信手段と、該発信手段から発信されたＩＤコードを受信し得る受信手段と、該受信手段で受信したＩＤコードが予め登録した正規のものであるか否かを判定する判定手段と、イグニッションスイッチ本体に配設され、該判定手段により受信手段で受信したＩＤコードが正規のものと判定されたことを条件として操作がなされると、車両のエンジンの始動を許可した状態とする操作ノブと、前記イグニッションスイッチ本体内部に配設され、メカキーを挿通可能としたキー孔を有するとともに、受信手段によるＩＤコードの受信に関わらず、前記キー孔に挿通したメカキーの回動操作により車両のエンジンの始動を許可した状態とするロータとを具備したイグニッションスイッチ装置において、前記操作ノブは、前記ロータのキー孔を覆いつつ操作可能とされて配設されるとともに、回動により車両のエンジンの始動を許可した状態とし得るエンジン始動操作と、取外し位置への回動によりイグニッションスイッチ本体から取り外し可能とし得る取外し操作とが可能とされ、取り外された状態で当該キー孔を外部に臨ませてメカキーの挿通を可能とし得るものとされ、且つ、当該操作ノブは、運転者が摘んで操作し得るアウタ部材と、該アウタ部材内に配設されて前記ロータと連結されるとともに、前記受信手段による正規のＩＤコードの受信がないとき回動が規制されたインナ部材と、前記エンジン始動操作時には前記アウタ部材とインナ部材とを連結するとともに、前記取外し操作時には、当該アウタ部材とインナ部材との連結を解除してアウタ部材をインナ部材と独立して回動可能とさせる連結部材とを具備したことを特徴とする。
【０００８】
請求項２記載の発明は、請求項１記載のイグニッションスイッチ装置において、前記操作ノブは、押圧により前記発信手段の認証を行うアクセス操作が可能とされたことを特徴とする。
【発明の効果】
【００１０】
請求項１の発明によれば、操作ノブが、ロータのキー孔を覆いつつ操作可能とされて配設されるとともに、所定の取外し操作によりイグニッションスイッチ本体から取外し可能とされ、取り外された状態で当該キー孔を外部に臨ませてメカキーの挿通を可能とし得るので、車両の盗難防止効果を維持しつつ発信手段の電池等が消耗した場合であっても、利便性を損なわずにエンジンを始動させることができる。
【００１１】
また、操作ノブはロータのキー孔を覆って外部からの視認を困難とし得るとともに、エンジン始動操作及び取外し操作とが可能であるので、ロータのキー孔を隠す手段と一連の操作を行わせる手段とを兼用させることができる。
【００１２】
さらに、連結部材により、エンジン始動操作時にはアウタ部材とインナ部材とを連結するとともに、取外し操作時には、当該アウタ部材とインナ部材との連結を解除してアウタ部材をインナ部材と独立して回動可能とさせるので、発信手段の電池等の消耗時には、単に操作ノブを取外し位置まで回動させれば当該操作ノブを取り外すことができ、メカキーによる操作を可能とすることができる。従って、複雑な操作によらずエンジン始動を行わせることができ、利便性を向上させることができる。
【発明を実施するための最良の形態】
【００１３】
以下、本発明の実施形態について図面を参照しながら具体的に説明する。
本実施形態に係るイグニッションスイッチ装置は、二輪車におけるエンジン始動及び停止を制御するためのものであり、図１乃至図３に示すように、シリンダボディから成るイグニッションスイッチ本体１と、その上部に形成された操作ノブ２とから主に外観が構成されている。このうち操作ノブ２は、表面に種々表示が施されたカバーＣの孔部Ｃａ内に配設され、エンジンＥを始動させるオン位置、エンジンＥを停止させるオフ位置、ハンドルバーをロックさせるステアリングロック位置の間で回動されるよう構成されている。
【００１４】
また、本実施形態に係るイグニッションスイッチ装置は、図８に示すように、運転者が携帯し得るとともに車両固有のＩＤコードを発信し得る発信手段１４と、車両側に配設されて発信手段１４からのＩＤコードを受信し得る受信手段１５と、該受信手段１５で受信したＩＤコードが予め登録した正規のものであるか否かを判定する判定手段１６とを有している。
【００１５】
発信手段１４は、電波などにより常時ＩＤコードを発信し得るもので、かかる発信手段１４を携帯した運転者が車両に近づいて所定の認証操作を行うと、車両側のアンテナ等から成る受信手段１５が当該ＩＤコードを受信し得るよう構成されている。判定手段１６は、予め登録されたＩＤコードと受信手段１５にて受信したＩＤコードとを比較して、これらが合致していれば正規のＩＤコードを受信したと判定するものである。
【００１６】
また、イグニッションスイッチ本体１内には、図１〜図３に示すように、操作ノブ２と押圧及び回動方向に嵌合した筒状の回動部材３と、該回動部材３内に配設されるとともにメカキーＫ（図７参照）を挿通することにより回動可能なロータ４と、ロータ４と共に回転し得る作動子５と、突出状態とされることにより図示しないハンドルバーの回動軸と係合して当該ハンドルバーをロックし得るロックバーＲと、イグニッションスイッチＳ（図８参照）を構成する可動部材１０及び端子台１１とを内部に有して構成されている。尚、イグニッションスイッチＳは、エンジンＥを制御するＥＣＵ１７と電気的に接続されており、当該イグニッションスイッチＳにて所定回路が形成されると、エンジンＥの始動を許可した状態となるよう構成されている。
【００１７】
回動部材３は、その上端側の凸部が後述する操作ノブ２の溝２ｂａ（図６参照）に嵌め込まれ、当該操作ノブ２に対する押圧操作及び回動操作と連動して動作し得るよう構成されている。また、ロータ４には、その長手方向にメカキーＫを挿通するためのキー孔Ｈが形成されるとともに、当該キー孔Ｈに沿って複数のタンブラ４ａが形成されている。そして、ロータ４にメカキーＫが挿通されない状態（図３の状態）では、タンブラ４ａが外方に突出して回動部材３と係合するとともに、メカキーＫが挿通された状態（図７の状態）では、タンブラ４ａがロータ４内部に引き込まれ、回動部材３との係合が解かれるようになっている。
【００１８】
然るに、操作ノブ２を押圧操作（これを「アクセス操作」という）して回動部材３を下降させると、タンブラ４ａにて係止されたロータ４もスプリング７の付勢力に抗して下降するよう構成されている。尚、操作ノブ２に対する押圧操作を止めると、スプリング７の付勢力によりロータ４、回動部材３及び操作ノブ２が元の位置まで上昇し得るようになっている。また、操作ノブ２を押圧操作しつつ回動操作してロータ７を回動させると、作動子５が同方向に回転し、当該作動子５と一体のカム部５ａを介してロックバーＲを突出させてハンドルバーをロックさせることができる。
【００１９】
更に、アクセス操作によって発信手段１４の認証が行われた後、操作ノブ２を押圧操作せずオフ位置からオン位置への回動によって二輪車の電源がオンになる（これを「エンジン始動操作」という）と、作動子５を介して可動部材１０が回転するとともに、該可動部材１０に形成された可動接点１０ａ（図３参照）と端子台１１の固定接点（不図示）との間で所定の回路が形成され、ＥＣＵ１７を介して二輪車のエンジンＥの始動を許可した状態とするよう構成されている。かかる状態にて、運転者が別個配設されたスタータボタンを操作すると、エンジンが始動するようになっている。
【００２０】
ここで、回動部材３の外側面近傍には、マイクロスイッチ６（所謂アクセススイッチを構成する）が配設されており、操作ノブ２の押圧操作に伴い回動部材３が下降すると、当該マイクロスイッチ６の検出子６ａが揺動してスイッチがオンするよう構成されている。これにより、回動部材３の下降動作（すなわち、アクセス操作）がなされたことを検出することができるようになっている。
【００２１】
更に、回動部材３の下部における外側面には、図２で示すように、縦方向（同図における上下方向）に延びる切欠き３ａが形成されており、該切欠き３ａには規制手段９の先端９ａが係合し得る状態とされている。かかる規制手段９は、回動部材３の上下方向の動作を許容しつつ回動を規制するもので、ソレノイド８に対する通電でプランジャ８ａが下降することにより、揺動軸Ｌを中心に図中矢印方向に揺動し、先端９ａが切欠き３ａから離間して回動部材３の回動規制を解除し得るよう構成されている。
【００２２】
本実施形態においては、マイクロスイッチ６がオンし、且つ、受信手段１５が正規のＩＤコードを受信したと判定手段１６が判定したことを条件として、ソレノイド８に対する通電がなされるよう制御されている。即ち、受信手段１５にて正規のＩＤコードを受信しなければ、ソレノイド８への通電がなされず回動部材３の回動規制が解かれないため、アクセス操作（押圧操作）は可能なものの、操作ノブ２の回動操作を行うことができないようになっているのである。
【００２３】
従って、正規のＩＤコードを発信する発信手段１４を携帯した運転者が車両に近づいて、メカキー等による操作を行わず単に操作ノブ２を押圧及び回動操作することによってエンジン始動操作を行うことができ、操作性を向上させることができるとともに、当該発信手段１４を携帯しない者によるエンジン始動操作（操作ノブ２の回動操作全般）を回避することができるので、盗難防止を図ることができる。
【００２４】
ここで、本実施形態に係る操作ノブ２は、イグニッションスイッチ本体１上部の取付孔１ｂに取り付けられ、ロータ４のキー孔Ｈを覆いつつ操作可能とされて配設されるとともに、所定の取外し操作によりイグニッションスイッチ本体１から取外し可能とされ、取り外された状態で当該キー孔Ｈを外部に臨ませてメカキーＫの挿通を可能とし得るよう構成されている。具体的には、操作ノブ２は、図４〜図６に示すように、アウタ部材２ａと、インナ部材２ｂと、連結部材１２とを有している。
【００２５】
アウタ部材２ａは、上部に運転者が摘んで操作し得る突起形状が形成されるとともに、下部にはインナ部材２ｂ及び連結部材１２を内在させる筒状部が形成されており、該筒状部の外周面に複数の爪部２ａａが形成されている。かかる爪部２ａは、操作ノブ２がオフ位置からオン位置（ステアリングロック位置も同様）に亘る範囲においては、イグニッションスイッチ本体１の取付孔１ｂから内側に向かって延設された周縁１ａ（図２及び図３参照）と干渉して抜け止めが図られるよう突出寸法等が設定されている。
【００２６】
一方、取付孔１ｂの周縁１ａには、操作ノブ２のアウタ部材２ａがオン位置を超えて更に回動した位置（取外し位置）にあるときに、爪部２ａａと合致し得る切欠き１ａａ（図５参照）が形成されている。すなわち、操作ノブ２は、通常の操作回動範囲においては、爪部２ａａにて抜け止めが図られるとともに、アウタ部材２ａを取外し位置まで回動することにより、爪部２ａａによる抜け止めがなされなくなり、上方へ引き上げると操作ノブ２全体が取付孔１ｂから取外し可能とされているのである。
【００２７】
インナ部材２ｂは、Ｃリング１３によりアウタ部材２ａの筒状部内に固定されるとともに、下方に延びたリブには回動部材３と嵌合し得る溝２ｂａが形成され、これにより回動部材３を介してロータ４と連結するよう構成されている。すなわち、ロータ４にメカキーＫが挿通されずタンブラ４ａが回動部材３に係合した状態においては、インナ部材２ｂが回動部材３と嵌合しているため、操作ノブ２の押圧又は回動操作に伴いインナ部材２ｂが下降及び回動すると、回動部材３を介してロータ４を回動させ、上述した一連の操作（アクセス操作やエンジン始動操作など）を行わせ得るようになっているのである。
【００２８】
連結部材１２は、アクセス操作時及びエンジン始動操作時（ステアリングロックのための回動操作時含む）にはアウタ部材２ａとインナ部材２ｂとを連結するとともに、取外し操作時には、当該アウタ部材２ａとインナ部材２ｂとの連結を解除してアウタ部材２ａをインナ部材２ｂと独立して回動可能とさせるものであり、操作ノブ２の径方向に延びるスプリング１２ａ（圧縮スプリング）と、該スプリング１２ａの両端に配設されたボール１２ｂとから構成されている。
【００２９】
すなわち、ボール１２ｂは、アウタ部材２ａにおける筒状部の内周面に形成された嵌入凹部２ａｂにスプリング１２ａの付勢力を持って嵌入されているため、インナ部材２ｂをアウタ部材２ａに対して強固に連結した状態としている。これにより、操作ノブ２に対する通常の操作時においては、アウタ部材２ａとインナ部材２ｂとは一体として動作し、回動部材３及びロータ４を回動させ得るようになっている。
【００３０】
然るに、発信手段１５の電池が消耗してＩＤコードを発信できなくなった状態、或いは正規の運転者が発信手段１５を紛失した状態においては、受信手段１５が正規のＩＤコードを受信できないので、規制手段９によって回動部材３の回動が規制され、操作ノブ２の回動操作ができなくなっている。かかる場合に、アウタ部材２ａを取外し位置の方向に強固に且つ強制的に回動させようとすれば、ボール１２ｂがスプリング１２ａの付勢力に抗して操作ノブ２の径方向内側に移動しつつ嵌入凹部２ａｂから脱出することとなる。
【００３１】
これにより、当該アウタ部材２ａとインナ部材２ｂとの連結が解除され、アウタ部材２ａがインナ部材２ｂとは独立して回動可能となるので、爪部２ａａが切欠き１ａａと合致する取外し位置までアウタ部材２ａを回動させた後、引き上げれば、操作ノブ２全体を取付孔１ｂから取り外すことができる。操作ノブ２を取り外した状態においては、図７に示すように、ロータ４のキー孔Ｈが外部（取付孔１ｂを介した上方）に臨ませた状態となるので、例えば発信手段１４に取り付けられた携帯型のメカキーＫをキー孔Ｈに挿通させることができる。
【００３２】
キー孔ＨにメカキーＫを挿通させると、既述のように、タンブラ４ａがロータ４内部に引き込まれ、回動部材３との係合が解かれるので、回動部材３の回動が規制された状態においても、メカキーＫを回動操作すればロータ４の回動が可能とされ、作動子５を介した回転動作によってエンジンＥの始動を許可した状態とされる。すなわち、ロータ４は、受信手段１５によるＩＤコードの受信に関わらず、キー孔Ｈに挿通したメカキーＫの回動操作により回動し、車両のエンジンＥの始動を許可した状態とし得るのである。
【００３３】
上記実施形態に係るイグニッションスイッチ装置によれば、操作ノブ２が、ロータ４のキー孔Ｈを覆いつつ操作可能とされて配設されるとともに、取外し操作（取外し位置までの強制的な回動操作）によりイグニッションスイッチ本体１から取外し可能とされ、取り外された状態で当該キー孔Ｈを外部に臨ませてメカキーＫの挿通を可能とし得るので、車両の盗難防止効果を維持しつつ発信手段１４の電池等が消耗した場合であっても、利便性を損なわずにエンジンを始動させることができる。
【００３４】
また、操作ノブ２はロータ４のキー孔Ｈを覆って外部からの視認を困難とし得るとともに、アクセス操作、エンジン始動操作及び取外し操作（ステアリングロック操作等の回動操作含む）とが可能であるので、ロータ４のキー孔Ｈを隠す手段と一連の操作を行わせる手段とを兼用させることができる。
【００３５】
更に、連結部材１２により、アクセス操作時及びエンジン始動操作時（ステアリングロック操作等の回動操作含む）にはアウタ部材２ａとインナ部材２ｂとを連結するとともに、取外し操作時には、当該アウタ部材２ａとインナ部材２ｂとの連結を解除してアウタ部材２ａをインナ部材２ｂと独立して回動可能とさせるので、発信手段１４の電池等の消耗時には、単に操作ノブ２を取外し位置まで回動させれば、アウタ部材２ａがインナ部材２ｂと独立して回動して当該操作ノブ２を取り外すことができ、メカキーＫによる操作を可能とすることができる。従って、複雑な操作によらずエンジン始動を行わせることができ、利便性を向上させることができる。
【００３６】
以上、本実施形態について説明したが、本発明はこれに限定されるものではなく、例えばアクセス操作を操作ノブとは別個配設した操作手段にて行わせるよう構成してもよく、或いは操作ノブを所定位置（例えばオフ位置とオン位置の間等）まで回動させてアクセス操作を行わせるようにしてもよい。また、連結部材１２を他の構成のものとしてもよく、例えばスプリング１２ａに代えて他の弾性部材とし、或いはボール１２ｂに代えてピン状部材等としてもよい。
【産業上の利用可能性】
【００３７】
操作ノブがロータのキー孔を覆いつつ操作可能とされて配設されるとともに、所定の取外し操作によりイグニッションスイッチ本体から取外し可能とされ、取り外された状態で当該キー孔を外部に臨ませてメカキーの挿通を可能とし得るものであり、且つ、当該操作ノブは、運転者が摘んで操作し得るアウタ部材と、該アウタ部材内に配設されてロータと連結されるとともに、受信手段による正規のＩＤコードの受信がないとき回動が規制されたインナ部材と、エンジン始動操作時にはアウタ部材とインナ部材とを連結するとともに、取外し操作時には、当該アウタ部材とインナ部材との連結を解除してアウタ部材をインナ部材と独立して回動可能とさせる連結部材とを具備したイグニッションスイッチ装置であれば、外観形状が異なるもの或いは他の機能が付加されたもの等にも適用することができる。
【図面の簡単な説明】
【００３８】
【図１】本発明の実施形態に係るイグニッションスイッチ装置を示す上面図
【図２】図１におけるＩＩ−ＩＩ線断面図
【図３】図１におけるＩＩＩ−ＩＩＩ線断面図
【図４】同イグニッションスイッチ装置における操作ノブを示す上面図及び正面図
【図５】同操作ノブを示す底面図
【図６】図４におけるＶＩ−ＶＩ線断面図
【図７】同イグニッションスイッチ装置の操作ノブを取外した状態を示す縦断面図
【図８】同イグニッションスイッチ装置の概略構成を示すブロック図
【符号の説明】
【００３９】
１    イグニッションスイッチ本体
２    操作ノブ
２ａ  アウタ部材
２ｂ  インナ部材
３    回動部材
４    ロータ
５    作動子
６    マイクロスイッチ
７    スプリング
８    ソレノイド
９    規制手段
１０  可動部材
１１  端子台
１２  連結部材
１２ａ  スプリング
１２ｂ  ボール
１３  Ｃリング
１４  発信手段
１５  受信手段
１６  判定手段
１７  ＥＣＵ
Ｅ    エンジン
Ｓ    イグニッションスイッチ
Ｈ    キー孔
Ｋ    メカキー
【図１】
0004766553.tif 000002
【図２】
0004766553.tif 000003
【図３】
0004766553.tif 000004
【図４】
0004766553.tif 000005
【図５】
0004766553.tif 000006
【図６】
0004766553.tif 000007
【図７】
0004766553.tif 000008
【図８】
0004766553.tif 000009